(57)【要約】【課題】着信があったことを確実にユーザに通知する携帯電話端末を提供する。【解決手段】携帯電話端末１００は、他の携帯電話端末からの着信信号を受信する着信受信部２１０と、所定時間あたりの携帯電話端末１００の移動距離に基づいて、移動中であるか否かを判定する移動判定部２２０と、着信受信部２１０によって着信信号を受信したときは、携帯電話端末１００を有するユーザに着信があった旨を通知して、移動判定部２２０によって携帯電話端末１００が移動中であると判定されたときは、ユーザに、再度、着信があった旨を通知する通知部２３０と、を備える。【選択図】図１
2010074265.tif 000002
【特許請求の範囲】
【請求項１】
他の端末からの着信信号を受信する受信手段と、
自端末の所定時間あたりの移動距離に基づいて、移動中であるか否かを判定する移動判定手段と、
前記受信手段によって前記着信信号を受信したときは、前記自端末を有するユーザに着信があった旨を通知して、前記移動判定手段によって前記自端末が移動中であると判定されたときは、前記ユーザに、再度、前記着信があった旨を通知する通知手段と、
を備えることを特徴とする携帯電話端末。
【請求項２】
前記受信手段は、
前記自端末と無線によって接続される無線基地局の基地局固有番号を取得し、
前記移動判定手段は、
取得した前記基地局固有番号の変化に基づいて、前記自端末が移動中であると判定する
ことを特徴とする請求項１に記載の携帯電話端末。
【請求項３】
前記自端末の現在の位置を、ＧＰＳによって測位するＧＰＳ測位手段を有し、
前記移動判定手段は、
前記ＧＰＳ測位手段によって得られた測位結果に基づいて、前記自端末が移動中であるか否かを判定する
ことを特徴とする請求項１または２に記載の携帯電話端末。
【請求項４】
前記ユーザからの手動入力を受け付ける入力操作手段を備え、
前記入力操作手段によって手動入力された設定情報に基づいて、前記通知手段を設定し、
前記通知手段は、
前記入力操作手段によって、再度、前記着信があった旨を通知することが設定された場合のみ、再度、前記着信があった旨を前記ユーザに通知する
ことを特徴とする請求項１ないし３の何れか１項に記載の携帯電話端末。
【請求項５】
前記通知手段は、
前記ユーザに対して、視覚的情報、聴覚的情報、触覚的情報のいずれか又は組み合わせにより通知する
ことを特徴とする請求項１ないし４の何れか１項に記載の携帯電話端末。
【請求項６】
他の端末からの着信信号を受信する受信ステップと、
自端末の所定時間あたりの移動距離に基づいて、移動中であるか否かを判定する移動判定ステップと、
前記受信ステップにおいて前記着信信号を受信したときは、前記自端末を有するユーザに着信があった旨を通知して、前記移動判定ステップにおいて前記自端末が移動中であると判定されたときは、前記ユーザに、再度、前記着信があった旨を通知する通知ステップと、
を含むことを特徴とする携帯電話端末における通知方法。
【請求項７】
他の端末からの着信信号を受信する受信手順と、
自端末の所定時間あたりの移動距離に基づいて、移動中であるか否かを判定する移動判定手順と、
前記受信手順によって前記着信信号を受信したときは、前記自端末を有するユーザに着信があった旨を通知して、前記移動判定手順によって前記自端末が移動中であると判定されたときは、前記ユーザに、再度、前記着信があった旨を通知する通知手順と、
をコンピュータに実行させることを特徴とする携帯電話端末における通知プログラム。
【発明の詳細な説明】
【技術分野】
【０００１】
本発明は、携帯電話端末、携帯電話端末における通知方法、携帯電話端末における通知プログラムに関する。
【背景技術】
【０００２】
近年、技術の進歩に伴って、携帯電話端末が普及している。携帯電話端末は、カメラ機能やインターネット機能を装備して、多機能化が図られるとともに、小型化や軽量化が図られている。そのため、携帯電話端末を携帯するユーザは、携帯電話端末を携帯する際には、バッグやポケットに容易に納めることができる。
【０００３】
また、携帯電話端末の小型化や軽量化が図られ、持ち運びの容易性が向上したことにより、持ち運び時の不在着信や未読メールの存在を通知する技術について、利便性の改善策として様々なものが検討されている。
【０００４】
このような携帯電話端末として、例えば、特許文献１または２に記載されたものが開示されている。
【特許文献１】特開２００４−２５４０９４号公報
【特許文献２】特開２００６−９４４２１号公報
【発明の開示】
【発明が解決しようとする課題】
【０００５】
しかしながら、上記特許文献１または２に記載されたものは、携帯電話端末を有するユーザが移動中の場合には、着信があってもその着信に応答することができないので、ユーザは着信があったことを認識することができない、という問題があった。
【０００６】
本発明は上記事情に鑑みてなされたものであり、その目的とするところは、携帯電話端末に着信があったことを確実にユーザに通知する携帯電話端末、携帯電話端末における通知方法および携帯電話端末における通知プログラムを提供することにある。
【課題を解決するための手段】
【０００７】
本発明によれば、他の端末からの着信信号を受信する受信手段と、
自端末の所定時間あたりの移動距離に基づいて、移動中であるか否かを判定する移動判定手段と、
前記受信手段によって前記着信信号を受信したときは、前記自端末を有するユーザに着信があった旨を通知して、前記移動判定手段によって前記自端末が移動中であると判定されたときは、前記ユーザに、再度、前記着信があった旨を通知する通知手段と、
を備えることを特徴とする携帯電話端末が提供される。
【０００８】
本発明によれば、他の端末からの着信信号を受信する受信ステップと、
自端末の所定時間あたりの移動距離に基づいて、移動中であるか否かを判定する移動判定ステップと、
前記受信ステップにおいて前記着信信号を受信したときは、前記自端末を有するユーザに着信があった旨を通知して、前記移動判定ステップにおいて前記自端末が移動中であると判定されたときは、前記ユーザに、再度、前記着信があった旨を通知する通知ステップと、
を含むことを特徴とする携帯電話端末における通知方法が提供される。
【０００９】
本発明によれば、他の端末からの着信信号を受信する受信手順と、
自端末の所定時間あたりの移動距離に基づいて、移動中であるか否かを判定する移動判定手順と、
前記受信手順によって前記着信信号を受信したときは、前記自端末を有するユーザに着信があった旨を通知して、前記移動判定手順によって前記自端末が移動中であると判定されたときは、前記ユーザに、再度、前記着信があった旨を通知する通知手順と、
をコンピュータに実行させることを特徴とする携帯電話端末における通知プログラムが提供される。
【発明の効果】
【００１０】
本発明によれば、携帯電話端末に着信があったことを確実にユーザに通知することができる。
【発明を実施するための最良の形態】
【００１１】
（第１の実施の形態）
以下、本発明の実施の形態について、図面を用いて説明する。尚、すべての図面において、同様な構成要素には同様の符号を付し、適宜説明を省略する。
【００１２】
図１は、本実施の形態に係る携帯電話端末１００の概略の構成を示した概略構成図である。
【００１３】
図１に示す携帯電話端末１００は、アンテナ１１０と、無線通信部１２０と、表示部１３０と、着信通知部１４０と、入力操作部１５０と、ＧＰＳ測位部１６０と、設定記憶部１７０と、タイマー部１８０と、制御部２００とを備えている。
【００１４】
アンテナ１１０は、図示しない無線基地局を介して、他の携帯電話端末と接続を行うアンテナである。
【００１５】
無線通信部１２０は、アンテナ１１０を介して無線基地局と無線通信を行う。また、無線通信部１２０は、無線基地局から着信信号を受信したり、或いは無線基地局に対して電波を送信し、無線通信を行うインターフェース部分である。なお、本実施の形態において、着信信号は、他の携帯電話端末との通話による着信に限定されるものではなく、メールによる着信信号も含まれる。
【００１６】
表示部１３０は、現在の携帯電話端末１００の電波の受信状態や電話又はメールなどの着信履歴を表示する表示部である。
【００１７】
着信通知部１４０は、制御部２００からの指示を受けて、ユーザに着信があった旨を通知する。また、着信通知部１４０は、図示しないＬＥＤ（Light Emitting Diode）やスピーカまたはバイブレータなどにより実現される。
【００１８】
入力操作部１５０は、ユーザからの入力操作を受け付ける操作部であり、例えば、入力ボタンの押下操作によって電話の着信に対する応答や、電話の発信操作などの入力操作を受け付ける。なお、本実施の形態では、入力操作部１５０は、ユーザが移動中の場合に携帯電話端末１００に着信があった旨を再度の通知する、再通知の設定の操作も受け付けている。
【００１９】
ＧＰＳ測位部１６０は、複数の衛星（例えば、３つまたは４つの衛星）から電波を受信して、受信した電波に基づいて携帯電話端末１００の現在の位置を測位する。なお、ＧＰＳ測位部１６０は、現在の位置を測位する処理が、携帯電話端末１００の各種機能に負担を与える場合には、ＧＰＳ測位部１６０が受信した電波を外部のサーバに送信し、その外部のサーバに携帯電話端末１００の現在の位置を計算させる形態であっても良い。
【００２０】
設定記憶部１７０は、ユーザによって設定される動作モードや無線基地局番号及び各種プログラムなどが格納されている設定記憶部である。なお、この設定記憶部１７０は、不揮発性メモリであるＲＡＭ（Random Access Memory）によって構成されている。
【００２１】
タイマー部１８０は、携帯電話端末１００が受信した無線基地局番号の変化を計測するタイマーであり、具体的には、無線通信部１２０を介して、後述する着信受信部２１０が無線基地局番号を検出した場合に、検出した無線基地局番号が変化するまでの時間を計測する。なお、タイマー部１８０が無線基地局番号を検出してから予め設定された所定の時間を計測し、その所定の時間に無線基地局番号が変化しない場合には、後述する移動判定部２２０が、携帯電話端末１００は移動していないと判断する。ここで、所定の時間として、例えば１分間を設定し、移動判定部２２０は、１分単位で無線基地局番号の変化を検出する。
【００２２】
制御部２００は、携帯電話端末１００の全体の統括動作を司っており、携帯電話端末１００に設けられた各部と接続されている。
【００２３】
また、図１に示す制御部２００は、他の携帯電話端末からの着信信号を受信する着信受信部（受信手段）２１０と、所定時間あたりの携帯電話端末１００の移動距離に基づいて、移動中であるか否かを判定する移動判定部２２０と、着信受信部２１０によって着信信号を受信したときは、携帯電話端末１００を有するユーザに着信があった旨を通知して、移動判定部２２０によって携帯電話端末１００が移動中であると判定されたときは、ユーザに、再度、着信があった旨を通知する通知部２３０と、を構成要素として備えている。
【００２４】
着信受信部２１０は、無線通信部１２０から、アンテナ１１０を介して無線基地局からの着信信号を受信する。
【００２５】
移動判定部２２０は、所定時間あたりの携帯電話端末１００の移動距離に基づいて、移動中であるか否かを判定する。
【００２６】
通知部２３０は、着信受信部２１０によって着信信号を受信したときは、携帯電話端末１００を有するユーザに着信があった旨を通知して、移動判定部２２０によって携帯電話端末１００が移動中であると判定されたときは、着信通知部１４０を介してユーザに、再度、着信があった旨を通知する。なお、通知部２３０は、着信通知部１４０と連携することにより、ユーザに着信を通知することができる。
【００２７】
通知設定部２４０は、ユーザの操作により、入力操作部１５０を介して入力された携帯電話端末１００の設定状態（後述する通常通知モードや再通知モードに相当する）を取得し、設定記憶部１７０に携帯電話端末１００の通知モードの設定として格納する。
【００２８】
なお、本実施の形態における各種の構成要素は、その機能を実現するように形成されていればよく、例えば、所定の機能を発揮する専用のハードウェア、所定の機能がコンピュータプログラムにより付与されたデータ処理装置、コンピュータプログラムによりデータ処理装置に実現された所定の機能、これらの任意の組み合わせ等として実現することができる。
【００２９】
次に、本実施の形態に係る携帯電話端末１００の動作について、フローチャートを用いて説明する。
【００３０】
図２は、本実施の形態に係る携帯電話端末１００の動作を示したフローチャートである。携帯電話端末１００は、アンテナ１１０を介して、無線通信部１２０が無線基地局から着信信号を受信する。無線通信部１２０は、着信信号を受信すると、その着信信号を着信受信部２１０に送信する。着信受信部２１０は、無線通信部１２０から着信信号を受信し、その着信信号から無線基地局番号を検出する（ステップＳ００１）。
【００３１】
着信受信部２１０は、検出した無線基地局番号を設定記憶部１７０に格納する。移動判定部２２０は、着信受信部２１０が着信信号を受信して無線基地局番号を検出したことにより、無線基地局を介して他の携帯電話端末からの着信を検出する。タイマー部１８０は、無線基地局番号が検出されたことによって計測を開始し、移動判定部２２０が携帯電話端末１００の移動距離を検出する（ステップＳ００３）。
【００３２】
着信受信部２１０が無線基地局番号を検出してから、所定の時間内に異なる無線基地局の無線基地局番号を検出した場合には、移動判定部２２０は、携帯電話端末１００が移動中であると判定する（ステップＳ００５のＹｅｓ）。一方、着信受信部２１０が無線基地局番号を検出してから、所定の時間の間に無線基地局番号の変化を検出しなかった場合には、移動判定部２２０は、携帯電話端末１００が移動中ではないと判定する（ステップＳ００５のＮｏ）。
【００３３】
ステップＳ００５において、携帯電話端末１００が移動中であると判定された場合には、通知設定部２４０は、設定記憶部１７０から設定されている通知モードを読み出して、再通知の設定がされているかを確認する（ステップＳ００７）。そして、通知設定部２４０は、携帯電話端末１００に再通知が設定されている場合には（ステップＳ００７のＹｅｓ）、携帯電話端末１００を再通知モードに移行させる（ステップＳ０１１）。
【００３４】
ここで、再通知モードとは、携帯電話端末１００に着信があった旨をユーザに通知した後、所定の時間経過後に、再度、着信があった旨をユーザに通知するものである。なお、所定の時間とは、例えば、３分や５分、或いは１０分程度であってもよく、またユーザが着信に対し、応答するまで繰り返し着信の通知を行っても良い。
【００３５】
なお、この場合、携帯電話端末１００は、制御部２００の通知部２３０と着信通知部１４０とが協働してユーザに通知を行う。具体的には、まず、通知部２３０が着信通知部１４０に着信があった旨を通知する指示を行い、着信通知部１４０が、例えば、ＬＥＤやスピーカやバイブレータ等を用いて、着信を示す色による視覚的情報、音声による聴覚的情報、または振動による触覚的情報により、着信があった旨をユーザに通知する。
【００３６】
これにより、携帯電話端末１００は、他の携帯電話端末からの着信やメールが来たことを表示部１３０に表示する。
【００３７】
そして、再通知モードが設定されている場合には、３分や５分などの所定時間経過後に、再度、通知部２３０が着信通知部１４０に着信があった旨を通知する指示を行い、着信通知部１４０が、着信を示す色による視覚的情報、音声による聴覚的情報、または振動による触覚的情報によってユーザに通知する。
【００３８】
なお、２度目以降の着信の通知の場合、最初の着信の通知と通知方法を変更してもよく、或いは、２度目の着信の通知であることを表示部１３０に表示したり、或いは、着信通知部１４０がスピーカによって通知しても良い。
【００３９】
また、ユーザが着信に対して応答するまで再通知を行うように設定されている場合には、３分や５分経過ごとに、表示部１３０や着信通知部１４０が、着信を示す色による視覚的情報、音声による聴覚的情報、または振動による触覚的情報によって通知する。また、本実施の形態では、再通知を行う回数を設定しても良く、例えば、３分間隔で、１０回まで通知するようにしても良い。
【００４０】
一方、ユーザが移動中であっても携帯電話端末１００に再通知が設定されていない場合には（ステップＳ００７のＮｏ）、通知部２３０は、ユーザに対して通常の通知（通常通知モードという。）を行う。
【００４１】
具体的には、通知部２３０が着信通知部１４０に着信があった旨を通知する指示を行い、着信通知部１４０が、例えば、ＬＥＤやスピーカやバイブレータを用いて、着信を示す色による視覚的情報、音声による聴覚的情報、または振動による触覚的情報により、着信があった旨をユーザに一度のみ通知する。
【００４２】
なお、携帯電話端末１００が、移動中ではないと判定された場合にも（ステップＳ００５のＮｏ）、通知部２３０が着信通知部１４０に着信があった旨を通知する指示を行い、通常通知モードによって携帯電話端末１００に、着信があった旨をユーザに一度のみ通知する。
【００４３】
従って、ステップＳ００９における通常通知モードの場合、通知部２３０と着信通知部１４０により、ユーザに一度だけ、着信があった旨を通知する。
【００４４】
一方、ステップＳ０１１における再通知モードの場合には、まず一度、通知部２３０と着信通知部１４０により、ユーザに着信があった旨を通知して、そのときにユーザがその着信を認識していなくても、３分や５分等の所定時間経過後に、再度、着信があった旨を通知する。
【００４５】
そして、通知部２３０は、各通知モードを終了するか否か判定しており、例えば、携帯電話端末１００の電源をＯＦＦにして、携帯電話端末１００の使用を中止する場合には（ステップＳ０１３）、それぞれの通知モードを終了する。
【００４６】
一方、ユーザが携帯電話端末１００を携帯しており、まだ携帯電話端末１００を使用している場合には（ステップＳ０１３のＮｏ）、通知部２３０は、引き続き、ユーザが携帯電話端末１００を使用すると判断し、ステップＳ００１に戻る。
【００４７】
以上説明したように本実施の形態によれば、ユーザが移動中であって、再通知モードが設定されている場合には、一度、ユーザに着信があった旨を通知した後、再度、着信があった旨を通知するので、ユーザは着信があったことを確実に認識することができる。
【００４８】
なお、本実施の形態では、着信受信部２１０が着信信号を受信して無線基地局番号を検出することにより、携帯電話端末１００の移動距離を検出するようになっていたが、本実施の形態はこれに限らず、ＧＰＳ測位部１６０が現在位置を測位して、その測位結果に基づいて、移動距離を算出し、移動中か否か判断するようにしても良い。
【００４９】
以上、図面を参照して本発明の実施形態について述べたが、これらは本発明の例示であり、上記以外の様々な構成を採用することもできる。
【図面の簡単な説明】
【００５０】
【図１】本実施の形態に係る携帯電話端末の概略の構成を示した概略構成図である。
【図２】本実施の形態に係る携帯電話端末の内部の動作を示したフローチャートである。
【符号の説明】
【００５１】
１００    携帯電話端末
１１０    アンテナ
１２０    無線通信部
１３０    表示部
１４０    着信通知部
１５０    入力操作部
１６０    ＧＰＳ測位部
１７０    設定記憶部
１８０    タイマー部
２００    制御部
２１０    着信受信部
２２０    移動判定部
２３０    通知部
２４０    通知設定部
【図１】
2010074265.tif 000003
【図２】
2010074265.tif 000004